Podtech/llm-jp-corpus-v4-ja_patent huggingface dataset:
【手続補正書】
【提出日】平成30年6月28日(2018.6.28)
【手続補正１】
【補正対象書類名】特許請求の範囲
【補正対象項目名】請求項５
【補正方法】変更
【補正の内容】
【請求項５】
請求項１乃至４のいずれか１項に記載のマイクロ流路デバイスにおいて、
前記流路は、前記ネック部と前記導入口との間に配置された狭窄部をさらに備え、
前記狭窄部は、狭窄導入部と、前記狭窄導入部よりも前記ネック部側に位置し、前記狭窄導入部に連接して配置される狭窄最挟部と、前記狭窄最挟部よりも前記ネック部側に位置し、前記狭窄最挟部に連接して配置される狭窄拡形部とからなり、
前記狭窄導入部は、前記導入口側から前記ネック部に向けて徐々に狭くなるテーパ状をなし、前記狭窄拡形部は、狭窄最挟部からネック部に向けて徐々に広くなる逆テーパ状である、マイクロ流路デバイス。
【手続補正書】
【提出日】平成30年8月29日(2018.8.29)
【手続補正１】
【補正対象書類名】特許請求の範囲
【補正対象項目名】全文
【補正方法】変更
【補正の内容】
【特許請求の範囲】
【請求項１】
フレキシブル基板と、前記フレキシブル基板に設けられた複数の接点部と、各々の接点部を対象物側に向けて付勢する複数のスプリングと、前記複数のスプリングを収容するハウジングと、を備え、
各々のスプリングは、少なくとも前記接点部側の端部に平坦巻き部を有する、コンタクタ。
【請求項２】
フレキシブル基板と、前記フレキシブル基板に設けられた複数の接点部と、各々の接点部を対象物側に向けて付勢する複数のスプリングと、前記複数のスプリングを収容するハウジングと、を備え、
各々のスプリングは、自身の長さ方向の中間部に斜め密着巻き部を有する、コンタクタ。
【請求項３】
フレキシブル基板と、前記フレキシブル基板に設けられた複数の接点部と、各々の接点部を対象物側に向けて付勢する複数のスプリングと、前記複数のスプリングを収容するハウジングと、を備え、
各々のスプリングは、少なくとも前記接点部側の端部に平坦巻き部を有し、かつ自身の長さ方向の中間部に斜め密着巻き部を有し、開放状態において前記平坦巻き部と前記斜め密着巻き部との間に隙間が存在する、コンタクタ。
【請求項４】
各々のスプリングが所定長圧縮されると、前記隙間が無くなって前記平坦巻き部と前記斜め密着巻き部とが相互に接触する、請求項３に記載のコンタクタ。
【請求項５】
フレキシブル基板と、前記フレキシブル基板に設けられた複数の接点部と、各々の接点部を対象物側に向けて付勢する複数のスプリングと、前記複数のスプリングを収容するハウジングと、を備え、
各々の接点部は、前記スプリングの内側に延びる位置合わせ用凸部を有する、コンタクタ。
【請求項６】
前記位置合わせ用凸部と前記スプリングとの係合により、前記スプリングからの前記接点部の抜けを防止する抜止め力が発生する、請求項５に記載のコンタクタ。
【請求項７】
フレキシブル基板と、前記フレキシブル基板に設けられた複数の接点部と、各々の接点部を対象物側に向けて付勢する複数のスプリングと、前記複数のスプリングを収容するハウジングと、を備え、
前記ハウジングは、前記フレキシブル基板を貫通して前記フレキシブル基板の一面側から他面側に延びるストッパ凸部を有する、コンタクタ。
【請求項８】
フレキシブル基板と、前記フレキシブル基板に設けられた複数の接点部と、各々の接点部を対象物側に向けて付勢する複数のスプリングと、前記複数のスプリングを収容するハウジングと、を備え、
前記フレキシブル基板は、各々の接点部の周囲に、前記接点部の接触先の高低差による自身の撓みを防止するための貫通穴を有する、コンタクタ。
【請求項９】
前記ハウジングに設けられて前記フレキシブル基板を貫通し、前記ハウジングに対して前記フレキシブル基板を位置決めする複数の位置決めピンを有し、前記フレキシブル基板が前記複数の位置決めピンにより自身の面垂直方向に移動可能に支持されている、請求項１から８のいずれか一項に記載のコンタクタ。
【請求項１０】
前記フレキシブル基板は、各々の位置決めピンを挿通する複数の長穴を有し、各々の長穴は、短手方向には前記位置決めピンと略同一寸法であり、長手方向には前記位置決めピンより大きい寸法である、請求項９に記載のコンタクタ。
【手続補正２】
【補正対象書類名】明細書
【補正対象項目名】０００７
【補正方法】削除
【補正の内容】
【手続補正３】
【補正対象書類名】明細書
【補正対象項目名】０００８
【補正方法】変更
【補正の内容】
【０００８】
本発明のある態様は、コンタクタである。このコンタクタは、
フレキシブル基板と、前記フレキシブル基板に設けられた複数の接点部と、各々の接点部を対象物側に向けて付勢する複数のスプリングと、前記複数のスプリングを収容するハウジングと、を備え、
各々のスプリングは、少なくとも前記接点部側の端部に平坦巻き部を有する。
【手続補正４】
【補正対象書類名】明細書
【補正対象項目名】０００９
【補正方法】変更
【補正の内容】
【０００９】
本発明のもう１つの態様は、コンタクタである。このコンタクタは、
フレキシブル基板と、前記フレキシブル基板に設けられた複数の接点部と、各々の接点部を対象物側に向けて付勢する複数のスプリングと、前記複数のスプリングを収容するハウジングと、を備え、
各々のスプリングは、自身の長さ方向の中間部に斜め密着巻き部を有する。
【手続補正５】
【補正対象書類名】明細書
【補正対象項目名】００１０
【補正方法】変更
【補正の内容】
【００１０】
本発明のもう１つの態様は、コンタクタである。このコンタクタは、
フレキシブル基板と、前記フレキシブル基板に設けられた複数の接点部と、各々の接点部を対象物側に向けて付勢する複数のスプリングと、前記複数のスプリングを収容するハウジングと、を備え、
各々のスプリングは、少なくとも前記接点部側の端部に平坦巻き部を有し、かつ自身の長さ方向の中間部に斜め密着巻き部を有し、開放状態において前記平坦巻き部と前記斜め密着巻き部との間に隙間が存在する。
【手続補正６】
【補正対象書類名】明細書
【補正対象項目名】００１２
【補正方法】変更
【補正の内容】
【００１２】
本発明のもう１つの態様は、コンタクタである。このコンタクタは、
フレキシブル基板と、前記フレキシブル基板に設けられた複数の接点部と、各々の接点部を対象物側に向けて付勢する複数のスプリングと、前記複数のスプリングを収容するハウジングと、を備え、
各々の接点部は、前記スプリングの内側に延びる位置合わせ用凸部を有する。
【手続補正７】
【補正対象書類名】明細書
【補正対象項目名】００１４
【補正方法】変更
【補正の内容】
【００１４】
本発明のもう１つの態様は、コンタクタである。このコンタクタは、
フレキシブル基板と、前記フレキシブル基板に設けられた複数の接点部と、各々の接点部を対象物側に向けて付勢する複数のスプリングと、前記複数のスプリングを収容するハウジングと、を備え、
前記ハウジングは、前記フレキシブル基板を貫通して前記フレキシブル基板の一面側から他面側に延びるストッパ凸部を有する。
【手続補正８】
【補正対象書類名】明細書
【補正対象項目名】００１５
【補正方法】変更
【補正の内容】
【００１５】
本発明のもう１つの態様は、コンタクタである。このコンタクタは、
フレキシブル基板と、前記フレキシブル基板に設けられた複数の接点部と、各々の接点部を対象物側に向けて付勢する複数のスプリングと、前記複数のスプリングを収容するハウジングと、を備え、
前記フレキシブル基板は、各々の接点部の周囲に、前記接点部の接触先の高低差による自身の撓みを防止するための貫通穴を有する。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
箱体の外郭と、
前記外郭の一面に設けられた空気を吸込む２つの吸込口と、
前記外郭の前記一面とは異なる他面に設けられた空気を排出する排出口と、
前記吸込口に接続して内部を空気が流れる筒状体の２つの能動消音風路と、
前記排出口に接続して空気を排出する送風部と、
前記能動消音風路から前記送風部に向かって空気が流れる送風空間と、
を備え、
前記送風部は、遠心ファンを内包して空気を前記排出口に導くファンケーシングを備えており、
前記能動消音風路は、前記ファンケーシングの一部を挟んで２つの筒状体を並列に配置したことを特徴とする換気装置。
【請求項２】
前記能動消音風路は、前記遠心ファンの回転軸の半径方向から互いに挟んで２つの筒状体を並列に配置したことを特徴とする請求項１に記載の換気装置。
【請求項３】
前記遠心ファンは、回転軸の軸方向の両面に２つのファン吸入口を有し、
前記能動消音風路は、前記回転軸の軸方向から互いに挟んで２つの筒状体を並列に配置したことを特徴とする請求項１に記載の換気装置。
【請求項４】
前記能動消音風路は、筒状体の内部の音を検出する検出マイクと、筒状体の内部に音を放出する消音スピーカとを備えることを特徴とする請求項１から３のいずれか一項に記載の換気装置。
【手続補正書】
【提出日】平成30年2月2日(2018.2.2)
【手続補正１】
【補正対象書類名】特許請求の範囲
【補正対象項目名】全文
【補正方法】変更
【補正の内容】
【特許請求の範囲】
【請求項１】
磁性基材、光学基材及び半導体基材の少なくとも一つから選択される基材を研磨するための研磨層を製造する方法であって、
液状プレポリマー材料を提供する工程、
複数の中空微小球を提供する工程、
＞３時間の暴露期間、前記複数の中空微小球を二酸化炭素雰囲気に暴露して、複数の処理された中空微小球を形成する工程、
前記液状プレポリマー材料を前記複数の処理された中空微小球と合わせて硬化性混合物を形成する工程、
前記硬化性混合物に、硬化材料を形成するための反応をさせる工程であって、前記反応を前記複数の処理された中空微小球の形成後≦２４時間に開始させる工程、及び
前記硬化材料から少なくとも一つの研磨層を得る工程
を含み、前記少なくとも一つの研磨層が、前記基材を研磨するように適合された研磨面を有するものである方法。
【請求項２】
前記液状プレポリマー材料が反応して、ポリ（ウレタン）、ポリスルホン、ポリエーテルスルホン、ナイロン、ポリエーテル、ポリエステル、ポリスチレン、アクリルポリマー、ポリウレア、ポリアミド、ポリ塩化ビニル、ポリフッ化ビニル、ポリエチレン、ポリプロピレン、ポリブタジエン、ポリエチレンイミン、ポリアクリロニトリル、ポリエチレンオキシド、ポリオレフィン、ポリ（アルキル）アクリレート、ポリ（アルキル）メタクリレート、ポリアミド、ポリエーテルイミド、ポリケトン、エポキシ、シリコーン、エチレンプロピレンジエンモノマーから形成されるポリマー、タンパク質、多糖、ポリアセテート及び前記の少なくとも二つの組み合わせからなる群より選択される材料を形成する、請求項１記載の方法。
【請求項３】
前記液状プレポリマー材料が反応して、ポリ（ウレタン）を含む材料を形成する、請求項１記載の方法。
【請求項４】
前記複数の中空微小球中の各中空微小球がアクリロニトリルポリマーシェルを有する、請求項１記載の方法。
【請求項５】
前記液状プレポリマー材料が反応して、ポリ（ウレタン）を形成し、
前記複数の中空微小球中の各中空微小球がポリ（二塩化ビニリデン）／ポリアクリロニトリルコポリマーシェルを有し、
前記ポリ（二塩化ビニリデン）／ポリアクリロニトリルコポリマーシェルがイソブタンを封入し、
≧５時間の暴露期間、ガスを使用して前記複数の中空微小球を流動化することにより、前記複数の中空微小球が前記二酸化炭素雰囲気に暴露されて、前記複数の処理された中空微小球を形成し、前記ガスが≧３０容量％ＣＯ２である、請求項１記載の方法。
【請求項６】
型を提供する工程、及び
前記硬化性混合物を前記型の中に移す工程
をさらに含み、前記硬化性混合物が反応をして、前記型の中で前記硬化材料を形成する、請求項１記載の方法。
【請求項７】
前記硬化材料をスカイビングして前記少なくとも一つの研磨層を形成する工程
をさらに含む、請求項６記載の方法。
【請求項８】
前記少なくとも一つの研磨層が複数の研磨層である、請求項７記載の方法。
【請求項９】
前記液状プレポリマー材料が反応して、ポリ（ウレタン）を形成し、
前記複数の中空微小球中の各中空微小球がポリ（二塩化ビニリデン）／ポリアクリロニトリルコポリマーシェルを有し、
前記ポリ（二塩化ビニリデン）／ポリアクリロニトリルコポリマーシェルがイソブタンを封入し、
≧５時間の暴露期間、ガスを使用して前記複数の中空微小球を流動化することにより、前記複数の中空微小球が前記二酸化炭素雰囲気に暴露されて、前記複数の処理された中空微小球を形成し、前記ガスが≧３０容量％ＣＯ2である、請求項８記載の方法。
【請求項１０】
前記反応を、前記複数の処理された中空微小球の形成後≦１時間に開始させる、請求項９記載の方法。
【手続補正書】
【提出日】平成30年8月1日(2018.8.1)
【手続補正１】
【補正対象書類名】特許請求の範囲
【補正対象項目名】全文
【補正方法】変更
【補正の内容】
【特許請求の範囲】
【請求項１】
略同一円周上の環状領域に配置した複数の薬液ボトルを、前記環状領域の周方向に沿って移動させ、前記環状領域の注出位置に移動させた薬液ボトルから患者用ボトルに薬液を注出するようにした分注装置であって、
前記複数の薬液ボトルを前記環状領域の周方向に沿って移動可能に支持するボトル支持部と、
前記環状領域のうち、前記注出位置とは異なる位置で、前記薬液ボトル内の薬液を攪拌する手段と、
前記注出位置で、前記患者用ボトルを昇降可能に保持する手段と、
を備えたことを特徴とする分注装置。
【手続補正２】
【補正対象書類名】明細書
【補正対象項目名】０００５
【補正方法】変更
【補正の内容】
【０００５】
本発明は、前記課題を解決するための手段として、
分注装置を、
略同一円周上の環状領域に配置した複数の薬液ボトルを、前記環状領域の周方向に沿って移動させ、前記環状領域の注出位置に移動させた薬液ボトルから患者用ボトルに薬液を注出するようにした分注装置であって、
前記複数の薬液ボトルを前記環状領域の周方向に沿って移動可能に支持するボトル支持部と、
前記環状領域のうち、前記注出位置とは異なる位置で、前記薬液ボトル内の薬液を攪拌する手段と、
前記注出位置で、前記患者用ボトルを昇降可能に保持する手段と、
を備えた構成としたものである。
【手続補正３】
【補正対象書類名】明細書
【補正対象項目名】０００６
【補正方法】削除
【補正の内容】
【手続補正書】
【提出日】平成30年6月20日(2018.6.20)
【手続補正１】
【補正対象書類名】特許請求の範囲
【補正対象項目名】全文
【補正方法】変更
【補正の内容】
【特許請求の範囲】
【請求項１】
外枠と、前記外枠に対して開閉可能な本体枠とを備え、遊技媒体を用いて遊技が行われる遊技機であって、
前記外枠は、
下部に設けられて前記本体枠が外枠に対して閉じた状態で前記本体枠が載置される幕板を含む下部部材と、
前記外枠の左方側に設けられ、前記本体枠を開閉可能に支持するヒンジ部材と、
を少なくとも有し、
前記ヒンジ部材が設けられた側において後方に退避した位置には、前記幕板の後面側に遊技球を排出するための遊技球排出領域を設けるとともに、前記遊技球排出領域の後方を含んで横長に形成される立壁部を備え、
前記ヒンジ部材が設けられた側において後方に退避した位置の前記立壁部の上端は、前記幕板の前記本体枠が載置される部分のうち前記立壁部が後方に退避した位置に存在しない部分の上端より高くなるようにし、
前記遊技球排出領域の右側で前後方向に形成される前後方向立壁部を備えている
ことを特徴とする遊技機。
【手続補正２】
【補正対象書類名】明細書
【補正対象項目名】０００４
【補正方法】変更
【補正の内容】
【０００４】
しかしながら上記した遊技機では、遊技媒体がこぼれてしまうと、外枠と本体枠との間に遊技球が挟まれてしまう虞があった。
【手続補正３】
【補正対象書類名】明細書
【補正対象項目名】０００５
【補正方法】変更
【補正の内容】
【０００５】
本発明は上記の実状に鑑み、外枠と本体枠との間に遊技球が挟まれることを低減させることを目的とする。
【手続補正４】
【補正対象書類名】明細書
【補正対象項目名】０００６
【補正方法】変更
【補正の内容】
【０００６】
上記目的を解決するために、本発明の遊技機は、外枠と、前記外枠に対して開閉可能な本体枠とを備え、遊技媒体を用いて遊技が行われる遊技機であって、
前記外枠は、
下部に設けられて前記本体枠が外枠に対して閉じた状態で前記本体枠が載置される幕板を含む下部部材と、
前記外枠の左方側に設けられ、前記本体枠を開閉可能に支持するヒンジ部材と、
を少なくとも有し、
前記ヒンジ部材が設けられた側において後方に退避した位置には、前記幕板の後面側に遊技球を排出するための遊技球排出領域を設けるとともに、前記遊技球排出領域の後方を含んで横長に形成される立壁部を備え、
前記ヒンジ部材が設けられた側において後方に退避した位置の前記立壁部の上端は、前記幕板の前記本体枠が載置される部分のうち前記立壁部が後方に退避した位置に存在しない部分の上端より高くなるようにし、
前記遊技球排出領域の右側で前後方向に形成される前後方向立壁部を備えていることを特徴とする。
【手続補正５】
【補正対象書類名】明細書
【補正対象項目名】０００７
【補正方法】変更
【補正の内容】
【０００７】
このように、本発明によれば、外枠と本体枠との間に遊技球が挟まれることを低減させることができる。
【手続補正書】
【提出日】平成30年8月10日(2018.8.10)
【手続補正１】
【補正対象書類名】特許請求の範囲
【補正対象項目名】全文
【補正方法】変更
【補正の内容】
【特許請求の範囲】
【請求項１】
発射手段により発射された遊技球が案内される遊技領域と、
前記遊技領域を移動する遊技球が入球可能な入賞口を具備するとともに、前記遊技領域を移動する遊技球を前記入賞口へと案内する開位置と、前記遊技領域を移動する遊技球の前記入賞口への入球を規制する閉位置とに変位可能な可動部を具備する可変入賞装置と、
所定条件が成立したことを検出する条件成立検出手段と、
前記条件成立検出手段の検出に基づいて、前記可変入賞装置を開閉させる特別遊技状態を発生させる主制御手段とを備え、
前記主制御手段は、前記特別遊技状態において、前記可変入賞装置を、前記可動部が開位置となる第１の状態と、前記可動部が閉位置となる第２の状態とに繰り返し状態変化させる構成であり、
前記特別遊技状態には、前記可動部の開閉のパターンが異なる複数の種別が存在する構成であって、
前記主制御手段は、
前記可変入賞装置の開閉動作に関する制御データが複数記憶されている第１の記憶手段と、
前記第１の記憶手段に記憶されている複数の制御データを順序立てて実行させるための制御データ群が複数記憶されている第２の記憶手段と、
前記第２の記憶手段に記憶されている各制御データ群を構成する各制御データのうち実行された制御データが記憶されている位置を記憶しておくことのできる第１の経過記憶手段とを備え、
前記第２の記憶手段に記憶されている各制御データ群に基づいて実行される前記第１の記憶手段の制御データの組合わせに基づく前記可動部の開閉のパターンはいずれも異なるとともに、
前記第２の記憶手段に記憶されている複数の制御データ群には、前記第１の記憶手段に記憶されている複数の制御データのうち、共通の制御データを含むものが存在し、
前記第１の記憶手段に記憶されている制御データには、前記第２の記憶手段に記憶されている所定の制御データ群を構成する制御データのうち最後に実行されることとなる制御データが実行されたことを示すための終期制御データがあることを特徴とする遊技機。
【請求項２】
前記遊技機はパチンコ機であることを特徴とする請求項１に記載の遊技機。
【手続補正２】
【補正対象書類名】明細書
【補正対象項目名】０００５
【補正方法】変更
【補正の内容】
【０００５】
しかしながら、可変入賞装置の開閉パターンを複数用意する場合、データ量の増大や処理の複雑化等を招くことが懸念される。
【手続補正３】
【補正対象書類名】明細書
【補正対象項目名】０００６
【補正方法】変更
【補正の内容】
【０００６】
本発明は、上記例示した問題点等を解決するためになされたものであり、その目的は、データ量の抑制及び処理の簡素化等を図ることのできる遊技機を提供することにある。
【手続補正４】
【補正対象書類名】明細書
【補正対象項目名】０００７
【補正方法】変更
【補正の内容】
【０００７】
本発明の遊技機は、
発射手段により発射された遊技球が案内される遊技領域と、
前記遊技領域を移動する遊技球が入球可能な入賞口を具備するとともに、前記遊技領域を移動する遊技球を前記入賞口へと案内する開位置と、前記遊技領域を移動する遊技球の前記入賞口への入球を規制する閉位置とに変位可能な可動部を具備する可変入賞装置と、
所定条件が成立したことを検出する条件成立検出手段と、
前記条件成立検出手段の検出に基づいて、前記可変入賞装置を開閉させる特別遊技状態を発生させる主制御手段とを備え、
前記主制御手段は、前記特別遊技状態において、前記可変入賞装置を、前記可動部が開位置となる第１の状態と、前記可動部が閉位置となる第２の状態とに繰り返し状態変化させる構成であり、
前記特別遊技状態には、前記可動部の開閉のパターンが異なる複数の種別が存在する構成であって、
前記主制御手段は、
前記可変入賞装置の開閉動作に関する制御データが複数記憶されている第１の記憶手段と、
前記第１の記憶手段に記憶されている複数の制御データを順序立てて実行させるための制御データ群が複数記憶されている第２の記憶手段と、
前記第２の記憶手段に記憶されている各制御データ群を構成する各制御データのうち実行された制御データが記憶されている位置を記憶しておくことのできる第１の経過記憶手段とを備え、
前記第２の記憶手段に記憶されている各制御データ群に基づいて実行される前記第１の記憶手段の制御データの組合わせに基づく前記可動部の開閉のパターンはいずれも異なるとともに、
前記第２の記憶手段に記憶されている複数の制御データ群には、前記第１の記憶手段に記憶されている複数の制御データのうち、共通の制御データを含むものが存在し、
前記第１の記憶手段に記憶されている制御データには、前記第２の記憶手段に記憶されている所定の制御データ群を構成する制御データのうち最後に実行されることとなる制御データが実行されたことを示すための終期制御データがあることを特徴としている。
【手続補正５】
【補正対象書類名】明細書
【補正対象項目名】０００９
【補正方法】変更
【補正の内容】
【０００９】
本発明によれば、データ量の抑制及び処理の簡素化等を図ることができる。
【手続補正書】
【提出日】平成30年10月25日(2018.10.25)
【手続補正１】
【補正対象書類名】特許請求の範囲
【補正対象項目名】全文
【補正方法】変更
【補正の内容】
【特許請求の範囲】
【請求項１】
所定条件の成立に基づいて始動情報を取得し、当該取得された始動情報に基づいて抽選及び動的表示の種類の選択を実行するとともに当該選択された種類の動的表示を実行可能とし、前記抽選の結果に基づいて遊技者に利益を付与する特別遊技状態に制御する遊技機であって、
前記動的表示が開始されるまでに所定の上限を限度として前記始動情報を前記所定条件の成立毎に記憶する保留記憶手段と、
前記始動情報を一時的に記憶する始動情報記憶手段と、
前記動的表示の開始時に、前記動的表示を開始する始動情報を前記保留記憶手段から前記始動情報記憶手段に一時的に記憶するとともに、前記始動情報記憶手段に記憶した始動情報に基づいて前記抽選及び前記動的表示の種類の選択を実行する動的表示時判定手段と、
前記動的表示が開始される前に、前記始動情報を前記始動情報記憶手段に一時的に記憶し、前記始動情報記憶手段に記憶した始動情報に基づいて前記動的表示の種類を選択するとともに前記抽選の結果を事前に判定する事前判定手段と、
を備え、
前記動的表示時判定手段及び前記事前判定手段における前記動的表示の種類の選択を共通の処理を用いて実行し、
前記事前判定手段による前記抽選を実行後、前記始動情報記憶手段に記憶された始動情報を初期化する
ことを特徴とする遊技機。
【手続補正２】
【補正対象書類名】明細書
【補正対象項目名】０００４
【補正方法】変更
【補正の内容】
【０００４】
上記した遊技機では、図柄の可変表示の開始時及び期待度の事前判定時に図柄の停止結果を判定する処理を実行する。しかしながら、図柄の停止結果の判定タイミングごとに異なる始動情報を参照する必要があるため、判定処理が複雑化したり、判定タイミングごとに別の処理を設けなければならなかったりする場合があった。
【手続補正３】
【補正対象書類名】明細書
【補正対象項目名】０００５
【補正方法】変更
【補正の内容】
【０００５】
本発明が解決しようとする課題は、上記事情に鑑みなされたもので、遊技制御に係る処理を共通化することを可能とする遊技機を提供する。
【手続補正４】
【補正対象書類名】明細書
【補正対象項目名】０００６
【補正方法】変更
【補正の内容】
【０００６】
本発明の代表的な一形態では、所定条件の成立に基づいて始動情報を取得し、当該取得された始動情報に基づいて抽選及び動的表示の種類の選択を実行するとともに当該選択された種類の動的表示を実行可能とし、前記抽選の結果に基づいて遊技者に利益を付与する特別遊技状態に制御する遊技機であって、前記動的表示が開始されるまでに所定の上限を限度として前記始動情報を前記所定条件の成立毎に記憶する保留記憶手段と、前記始動情報を一時的に記憶する始動情報記憶手段と、前記動的表示の開始時に、前記動的表示を開始する始動情報を前記保留記憶手段から前記始動情報記憶手段に一時的に記憶するとともに、前記始動情報記憶手段に記憶した始動情報に基づいて前記抽選及び前記動的表示の種類の選択を実行する動的表示時判定手段と、前記動的表示が開始される前に、前記始動情報を前記始動情報記憶手段に一時的に記憶し、前記始動情報記憶手段に記憶した始動情報に基づいて前記動的表示の種類を選択するとともに前記抽選の結果を事前に判定する事前判定手段と、を備え、前記動的表示時判定手段及び前記事前判定手段における前記動的表示の種類の選択を共通の処理を用いて実行し、前記事前判定手段による前記抽選を実行後、前記始動情報記憶手段に記憶された始動情報を初期化することを特徴とする。
【手続補正５】
【補正対象書類名】明細書
【補正対象項目名】０００７
【補正方法】変更
【補正の内容】
【０００７】
本発明の一形態によれば、上記課題を解決し、遊技制御に係る処理を共通化することができる。
【手続補正書】
【提出日】平成30年5月15日(2018.5.15)
【手続補正１】
【補正対象書類名】明細書
【補正対象項目名】００１０
【補正方法】変更
【補正の内容】
【００１０】
おむつ１００は、着用者の前後方向に対応する長手方向Ｘと、おむつ１００を、図１に示すように平面状に広げた状態において、該長手方向Ｘと直交する幅方向Ｙとを有している。また、おむつ１００は、長手方向Ｘに、着用時に着用者の腹側に配される腹側部Ａ、着用時に着用者の背側に配される背側部Ｂ、及び腹側部Ａと背側部Ｂとの間に位置する股下部Ｃを有している。おむつ１００は、展開型の使い捨ておむつであり、背側部Ｂの両側縁部にファスニングテープ１７が設けられており、腹側部Ａの外表面に、そのファスニングテープ１７を止着するランディングゾーン１８が設けられている。
【手続補正２】
【補正対象書類名】明細書
【補正対象項目名】００１９
【補正方法】変更
【補正の内容】
【００１９】
複合シート１０の中央領域Ｍには、図４に示すように、第１シート１と第２シート２との接合部３によって、長手方向Ｘ及び幅方向Ｙの両方向に対して傾斜した第１方向Ｄ１に沿って複数の接合部３が並んだ第１傾斜接合部列Ｓ１、及び長手方向Ｘ及び幅方向Ｙの両方向に対して傾斜し且つ第１方向Ｄ１と交差する第２方向Ｄ２に沿って複数の接合部３が並んだ第２傾斜接合部列Ｓ２が、それぞれ複数列形成されている。
そして、第１傾斜接合部列Ｓ１と第２傾斜接合部列Ｓ２との交差部に、長手方向Ｘに長い形状の長接合部３１が形成されている。本実施形態における第１傾斜接合部列Ｓ１及び第２傾斜接合部列Ｓ２については、第１方向Ｄ１及び第２方向Ｄ２のそれぞれに一定の間隔で交差部を有しており、各交差部に長接合部３１が配置されている。第１方向Ｄ１は、長手方向中央線ＣＬに対する傾斜角度θ１が、４５°以上８０°以下が好ましく、より好ましくは５０°以上７０°以下である。第２方向Ｄ２は、長手方向中央線ＣＬに対する傾斜角度θ２が、４５°以上８０°以下が好ましく、より好ましくは５０°以上７０°以下である。第１方向Ｄ１及び第２方向Ｄ２は、長手方向中央線ＣＬと平行な直線を対称線として線対称であることが好ましい。
【手続補正３】
【補正対象書類名】明細書
【補正対象項目名】００３５
【補正方法】変更
【補正の内容】
【００３５】
また、本実施形態の複合シート１０においては、図５（ａ）に示すように、接合部３が長手方向Ｘに間隔を開けて直列した長手方向接合部列Ｓ３，Ｓ４が、幅方向Ｙに複数列形成されており、その幅方向Ｙにおいて隣り合う長手方向接合部列どうしの接合部３は、長手方向Ｘの一部又は全部が重なっているか、又は長手方向Ｘの端部の位置が一致している。
具体的には、図５（ａ）に示すように、幅方向Ｙにおいて隣り合う長手方向長接合部列Ｓ３及び長手方向短接合部列Ｓ４の長接合部３１と短接合部３２とは、長手方向Ｘの端部Ｅａ，Ｅｂの位置Ｐａ，Ｐｂが一致しており、また、幅方向Ｙにおいて隣り合う長手方向短接合部列Ｓ４の短接合部３２どうしは、長手方向Ｘの全部が相互に重なっている。
また、図７に示す実施形態においては、幅方向Ｙにおいて隣り合う長手方向長接合部列Ｓ３及び長手方向短接合部列Ｓ４の長接合部３１と短接合部３２とは、長手方向Ｘの一部である端部付近Ｅａ，Ｅｂが重なっており、また、幅方向Ｙにおいて隣り合う長手方向短接合部列Ｓ４の短接合部３２どうしは、長手方向Ｘの全部が相互に重なっている。
このように、幅方向Ｙにおいて隣り合う長手方向接合部列の接合部どうしに関し、長手方向Ｘの一部又は全部が重なっているか、又は長手方向Ｘの端部の位置が一致していると、長手方向長接合部列Ｓ３と長手方向短接合部列Ｓ４の間、及び、長手方向短接合部列Ｓ４どうしの間において、長手方向Ｘに凹凸形状が形成されやすく、横長凸部４１の長手方向Ｘへの動きやすさが向上し、おむつ１の着用中に、表面シート１２と着用者の肌との間に、長手方向Ｘに沿う方向のズレが生じたときの、横長凸部４１による肌の摩擦を一層軽減することができる。
なお、図７に示す例においては、幅方向Ｙにおいて隣り合う長手方向長接合部列Ｓ３間に、長手方向短接合部列Ｓ４が形成されており、一方の長手方向長接合部列Ｓ３の長接合部３１の端部Ｅａ，Ｅｂのそれぞれと、該長手方向長接合部列Ｓ３に隣接する長手方向短接合部列Ｓ４の短接合部３２の長手方向の一部である端部付近Ｅａ，Ｅｂが重なっており、他方の長手方向長接合部列Ｓ３の長接合部３１の端部Ｅｃ，Ｅｄのそれぞれと、該長手方向長接合部列Ｓ３に隣接する長手方向短接合部列Ｓ４の短接合部３２の長手方向の一部である端部付近Ｅｃ，Ｅｄとが重なっている。
【手続補正４】
【補正対象書類名】明細書
【補正対象項目名】００３６
【補正方法】変更
【補正の内容】
【００３６】
また、本実施形態の複合シート１０のように、幅方向Ｙにおいて隣り合う長手方向長接合部列Ｓ３どうしの間に、複数の長手方向短接合部列Ｓ４が存在する場合、その複数の長手方向短接合部列Ｓ４は、図８に示すように、横長凸部４１を挟む短接合部３２どうし間の距離Ｆａ，Ｆｂが、相互に異なっていてもよい。このようなパターンにすることにより、第１傾斜接合部列Ｓ１及び第２傾斜接合部列Ｓ２に沿った凹部が、一層形成されやすく、横長凸部４１の長手方向Ｘへの動きやすさがより向上し、着用中の肌との摩擦を一層低減することができる。
図８に示す実施形態においても、接合部３が長手方向Ｘに間隔を開けて直列した長手方向接合部列Ｓ３，Ｓ４が、幅方向Ｙに複数列形成されており、幅方向Ｙにおいて隣り合う長手方向長接合部列Ｓ３及び長手方向短接合部列Ｓ４の長接合部３１と短接合部３２とは、長手方向Ｘの一部Ｅａ，Ｅｂどうしが重なっており、幅方向Ｙにおいて隣り合う長手方向短接合部列Ｓ４の短接合部３２どうしも、長手方向Ｘの一部どうしが相互に重なってい
る。
図５（ａ）や図８に示す実施形態のように、幅方向Ｙにおいて隣り合う長手方向長接合部列Ｓ３の長接合部３１どうし間に配された長手方向短接合部列Ｓ４の短接合部３２は、幅方向Ｙにおいて隣り合う長手方向長接合部列Ｓ３の長接合部３１どうしを最短距離で結ぶ直線Ｌｓと重なる部分を有することが好ましい。
【手続補正５】
【補正対象書類名】明細書
【補正対象項目名】００４５
【補正方法】変更
【補正の内容】
【００４５】
＜８＞
第１方向Ｄ１は、長手方向中央線ＣＬに対する傾斜角度θ１が、４５°以上８０°以下が好ましく、より好ましくは５０°以上７０°以下である、前記＜１＞〜＜７＞の何れか１に記載の吸収性物品。
＜９＞
第２方向Ｄ２は、長手方向中央線ＣＬに対する傾斜角度θ２が、４５°以上８０°以下が好ましく、より好ましくは５０°以上７０°以下である、前記＜１＞〜＜８＞の何れか１に記載の吸収性物品。
＜１０＞
第１方向Ｄ１及び第２方向Ｄ２は、長手方向中央線ＣＬと平行な直線を対称線として線対称であることが好ましい、前記＜１＞〜＜９＞の何れか１に記載の吸収性物品。
＜１１＞
横長凸部４１は、複数の横長凸部４１が一定の間隔で長手方向Ｘに沿って直列した長手方向凸部列Ｒ３と、複数の横長凸部４１が一定の間隔で幅方向Ｙに沿って直列した幅方向凸部列Ｒ４と、複数の横長凸部４１が一定の間隔で、第１方向Ｄ１に沿って直列した第１方向凸部列Ｒ５と、複数の横長凸部４１が一定の間隔で、第２方向Ｄ２に沿って直列した第２方向凸部列Ｒ６とを有するように配置されている、前記＜１＞〜＜１０＞の何れか１に記載の吸収性物品。
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
遊技の進行に関する制御を行うものであって他の機器との間に配線経路が形成される制御手段と、外部電源に接続され少なくとも前記制御手段の動作電力を生成する電源手段と、を備えた遊技機において、
前記制御手段は、
前記制御を実行するための演算手段と、
電力が供給されている間は記憶した情報の保持を可能とし、前記演算手段が前記制御を行う上で参照される情報を記憶保持する記憶手段と、
を備え、
前記制御手段と前記他の機器とを電気的に接続するように電力用経路が設けられており、
前記配線経路を形成しかつ特定信号が伝送される信号用配線と前記電力用経路を形成する電力用配線とは、前記信号用配線が取り外される場合に前記電力用配線も取り外されるように接続ユニットとして設けられており、
当該遊技機は、前記外部電源から前記電源手段への電力供給が停止されかつ前記電力用経路が遮断されていない状況において前記記憶手段に電力を供給し、前記接続ユニットが接続対象から取り外された場合に前記記憶手段への電力供給が停止される電断時用電源手段を備え、
前記外部電源から前記電源手段への電力供給が停止されている状況で前記接続ユニットが接続対象から取り外された場合に、前記電断時用電源手段からの電力供給が停止されることで、前記記憶手段が、前記外部電源から前記電源手段への電力供給が停止された場合に記憶されていた情報が保持されていない状態となるように構成されたことを特徴とする遊技機。
【手続補正２】
【補正対象書類名】明細書
【補正対象項目名】０００５
【補正方法】変更
【補正の内容】
【０００５】
ここで、上記例示した遊技機においては、不正行為を抑制する上で未だ改善の余地がある。
【手続補正３】
【補正対象書類名】明細書
【補正対象項目名】０００６
【補正方法】変更
【補正の内容】
【０００６】
なお、以上の問題はスロットマシンに限らず、他の遊技機にも該当する問題である。
【手続補正４】
【補正対象書類名】明細書
【補正対象項目名】０００８
【補正方法】変更
【補正の内容】
【０００８】
本発明は上記例示した事情等に鑑みてなされたものであり、不正行為を抑制することができる遊技機を提供することを目的とするものである。
【手続補正５】
【補正対象書類名】明細書
【補正対象項目名】０００９
【補正方法】変更
【補正の内容】
【０００９】
本発明は、
遊技の進行に関する制御を行うものであって他の機器との間に配線経路が形成される制御手段と、外部電源に接続され少なくとも前記制御手段の動作電力を生成する電源手段と、を備えた遊技機において、
前記制御手段は、
前記制御を実行するための演算手段と、
電力が供給されている間は記憶した情報の保持を可能とし、前記演算手段が前記制御を行う上で参照される情報を記憶保持する記憶手段と、
を備え、
前記制御手段と前記他の機器とを電気的に接続するように電力用経路が設けられており、
前記配線経路を形成しかつ特定信号が伝送される信号用配線と前記電力用経路を形成する電力用配線とは、前記信号用配線が取り外される場合に前記電力用配線も取り外されるように接続ユニットとして設けられており、
当該遊技機は、前記外部電源から前記電源手段への電力供給が停止されかつ前記電力用経路が遮断されていない状況において前記記憶手段に電力を供給し、前記接続ユニットが接続対象から取り外された場合に前記記憶手段への電力供給が停止される電断時用電源手段を備え、
前記外部電源から前記電源手段への電力供給が停止されている状況で前記接続ユニットが接続対象から取り外された場合に、前記電断時用電源手段からの電力供給が停止されることで、前記記憶手段が、前記外部電源から前記電源手段への電力供給が停止された場合に記憶されていた情報が保持されていない状態となるように構成されたことを特徴とする。
【手続補正６】
【補正対象書類名】明細書
【補正対象項目名】００１０
【補正方法】変更
【補正の内容】
【００１０】
本発明によれば、不正行為を抑制することができる遊技機を提供することが可能となる。
【手続補正書】
【提出日】平成30年7月3日(2018.7.3)
【手続補正１】
【補正対象書類名】特許請求の範囲
【補正対象項目名】全文
【補正方法】変更
【補正の内容】
【特許請求の範囲】
【請求項１】
呼吸回路の呼気用枝部であって、
患者側インタフェース要素に接続され、前記患者インタフェース側要素からの呼吸気体の流れを受け取るように構成された入口と、
他の機器に接続され、前記呼吸気体の流れを前記他の機器に送達するように構成された出口と、
前記入口と前記出口との間に柔軟な単一の呼気流れ通路を形成し、前記呼気流れ通路と周囲空気を隔てる包囲壁を備え、
前記包囲壁の少なくとも１の領域が、液体の水および呼吸気体の通過を許容することなく、水蒸気の通過を許容する材料からなり、これにより、前記材料を通して前記呼気流れ通路から周囲空気への水蒸気流路が提供され、
前記領域は、前記包囲壁の長手方向にわたって配設されることにより、前記単一の呼気流れ通路に沿って前記呼気用枝部から水蒸気が拡散可能となり、水蒸気を含む湿った呼気が前記呼気用枝部を通過する間に前記呼気を乾燥させ、
前記包囲壁は複数のコルゲーション形状を含み、
前記呼気用枝部は、前記呼吸気体が前記入口と前記出口との間を流れるときに前記呼吸気体を加熱するためのヒータ線をさらに備える
呼吸回路の呼気用枝部。
【請求項２】
前記他の機器は、フィルタまたはベンチレータを含む、
請求項１に記載の呼吸回路の呼気用枝部。
【請求項３】
前記包囲壁は連続チューブとして押し出される、
請求項１または２に記載の呼吸回路の呼気用枝部。
【請求項４】
前記包囲壁は長手方向に継ぎ目を有する、
請求項３に記載の呼吸回路の呼気用枝部。
【請求項５】
前記領域は細長く、前記包囲壁の長さの少なくとも実質的部分に延びている、
請求項１乃至４のいずれか一に記載の呼吸回路の呼気用枝部。
【請求項６】
前記複数のコルゲーション形状は螺旋状または環状である、
請求項１乃至５のいずれか一に記載の呼吸回路の呼気用枝部。
【請求項７】
前記複数のコルゲーション形状は、破砕に対して横方向の補強を提供する、
請求項１乃至６のいずれか一に記載の呼吸回路の呼気用枝部。
【請求項８】
前記複数のコルゲーション形状は、螺旋ビードまたは一連の環状のリング状ビードまたはリブによって形成される、
請求項１乃至７のいずれか一に記載の呼吸回路の呼気用枝部。
【請求項９】
前記複数のコルゲーション形状は前記包囲壁の長さにわたって分布している、
請求項１乃至８のいずれか一に記載の呼吸回路の呼気用枝部。
【請求項１０】
前記包囲壁内に骨格構造を含む、
請求項１乃至９のいずれか一に記載の呼吸回路の呼気用枝部。
【請求項１１】
前記骨格構造は、粉砕に対して横方向の補強を提供する、
請求項１０に記載の呼吸回路の呼気用枝部。
【請求項１２】
前記ヒータ線は柔軟な前記単一の呼気流れ通路の内部にある、
請求項１乃至１１のいずれか一に記載の呼吸回路の呼気用枝部。
【請求項１３】
前記ヒータ線は螺旋形状を有する、
請求項１乃至１２のいずれか一に記載の呼吸回路の呼気用枝部。
【請求項１４】
前記入口は使用時にＹコネクタに接続するように構成されている、
請求項１乃至１３のいずれか一に記載の呼吸回路の呼気用枝部。
【請求項１５】
前記Ｙコネクタは、患者の端部に配置され、少なくとも１つのセンサを配置するように構成される、
請求項１４に記載の呼吸回路の呼気用枝部。
【請求項１６】
二枝呼吸回路の構成要素であって、
Ｙコネクタと、
呼吸気体の吸気流れを前記Ｙコネクタに送るように構成された吸気用枝部と、
前記Ｙコネクタからの前記呼吸気体の呼気流れを受け、前記呼吸気体の前記呼気流れをベンチレータに送るように構成された呼気用枝部と、を備え、
前記呼気用枝部は、
柔軟な単一の呼気流れ通路を画定し、使用時に呼吸気体の呼気流れが通過する、前記柔軟な単一の呼気流れ通路および周囲空気を隔てる包囲壁を備え、
前記包囲壁の少なくとも１つの領域は、液体水の通過を許容することなく拡散によって水蒸気の通過を許容する材料からなり、
前記領域は、前記包囲壁の長手方向にわたって配設されることにより、前記呼吸気体が入口と出口との間を流れるときに乾燥し
前記包囲壁は複数のコルゲーション形状を含み、
前記呼気用枝部は、前記呼吸気体が前記入口と前記出口との間を流れるときに前記呼吸気体を加熱するためのヒータ線をさらに備える、二枝呼吸回路の構成要素。
【請求項１７】
前記包囲壁の全体が、液体水の通過を許容せずに水蒸気の通過を可能にする材料からなる、
請求項１６または１７に記載の二枝呼吸回路の構成要素。
【請求項１８】
呼吸回路のための呼吸チューブであって、
入口と、
出口と、
前記入口と出口との間に単一の呼気流れ通路を形成し、呼気流れ流路と周囲空気を隔てる包囲壁を備え、
前記包囲壁の少なくとも１の領域が、液体の水および呼吸気体の通過を許容することなく、水蒸気の通過を許容する材料からなり、これにより、前記材料を通して前記呼気流れ通路から周囲空気への水蒸気流路が提供される、
ことを特徴とする呼吸チューブ。
【手続補正２】
【補正対象書類名】明細書
【補正対象項目名】発明の名称
【補正方法】変更
【補正の内容】
【発明の名称】呼吸回路の呼気用枝部、二枝呼吸回路の構成要素および呼吸チューブ
【手続補正書】
【提出日】平成30年9月14日(2018.9.14)
【手続補正１】
【補正対象書類名】特許請求の範囲
【補正対象項目名】全文
【補正方法】変更
【補正の内容】
【特許請求の範囲】
【請求項１】
判定の結果に基づいて図柄変動を行う図柄変動手段と、
前記図柄変動にて所定の態様が現れると、遊技者に特典を付与しうる特典付与手段と、
特定発光部を有しており、特定の可動演出を実行可能な特定可動装飾体と、
所定の復元動作時期において前記特定可動装飾体が正常状態にないとき、該特定可動装飾体に対して復元動作を行わせうる復元実行手段と
を備え、
前記特定可動装飾体による前記特定の可動演出が行われる図柄変動内で該特定可動装飾体が復元動作を実行する場合であっても、前記特定の可動演出が開始されるタイミングよりも前に前記復元動作によって前記特定可動装飾体を正常復帰させることに成功したときには、該正常復帰した状態にある特定可動装飾体を用いた前記特定の可動演出が実行可能とされる
ことを特徴とする遊技機。
【手続補正２】
【補正対象書類名】明細書
【補正対象項目名】０００５
【補正方法】変更
【補正の内容】
【０００５】
しかしながら、このような遊技機では、遊技興趣が低下することが懸念される。
【手続補正３】
【補正対象書類名】明細書
【補正対象項目名】０００７
【補正方法】変更
【補正の内容】
【０００７】
手段１：判定の結果に基づいて図柄変動を行う図柄変動手段と、
前記図柄変動にて所定の態様が現れると、遊技者に特典を付与しうる特典付与手段と、
特定発光部を有しており、特定の可動演出を実行可能な特定可動装飾体と、
所定の復元動作時期において前記特定可動装飾体が正常状態にないとき、該特定可動装飾体に対して復元動作を行わせうる復元実行手段と
を備え、
前記特定可動装飾体による前記特定の可動演出が行われる図柄変動内で該特定可動装飾体が復元動作を実行する場合であっても、前記特定の可動演出が開始されるタイミングよりも前に前記復元動作によって前記特定可動装飾体を正常復帰させることに成功したときには、該正常復帰した状態にある特定可動装飾体を用いた前記特定の可動演出が実行可能とされる
ことを特徴とする遊技機。
【手続補正書】
【提出日】平成30年5月21日(2018.5.21)
【手続補正１】
【補正対象書類名】特許請求の範囲
【補正対象項目名】全文
【補正方法】変更
【補正の内容】
【特許請求の範囲】
【請求項１】
遊技の進行に関する制御を行うものであって他の機器との間に配線経路が形成される制御手段と、外部電源に接続され少なくとも前記制御手段の動作電力を生成する電源手段と、を備えた遊技機において、
前記制御手段は、
前記制御を実行するための演算手段と、
電力が供給されている間は記憶した情報の保持を可能とし、前記演算手段が前記制御を行う上で参照される情報を記憶保持する記憶手段と、
を備え、
当該遊技機は、前記外部電源から前記電源手段への電力供給が停止されている状況において前記記憶手段に電力を供給し、前記配線経路を形成しかつ特定信号が伝送される信号用配線が接続対象から取り外された場合に前記記憶手段への電力供給が停止される電断時用電源手段を備え、
前記外部電源から前記電源手段への電力供給が停止されている状況で前記配線経路を形成する前記信号用配線が接続対象から取り外された場合に、前記電断時用電源手段からの電力供給が停止されることで、前記記憶手段が、前記外部電源から前記電源手段への電力供給が停止された場合に記憶されていた情報が保持されていない状態となるように構成されたことを特徴とする遊技機。
【手続補正２】
【補正対象書類名】明細書
【補正対象項目名】０００５
【補正方法】変更
【補正の内容】
【０００５】
ここで、上記例示した遊技機においては、不正行為を抑制する上で未だ改善の余地がある。
【手続補正３】
【補正対象書類名】明細書
【補正対象項目名】０００６
【補正方法】変更
【補正の内容】
【０００６】
なお、以上の問題はスロットマシンに限らず、他の遊技機にも該当する問題である。
【手続補正４】
【補正対象書類名】明細書
【補正対象項目名】０００８
【補正方法】変更
【補正の内容】
【０００８】
本発明は上記例示した事情等に鑑みてなされたものであり、不正行為を抑制することができる遊技機を提供することを目的とするものである。
【手続補正５】
【補正対象書類名】明細書
【補正対象項目名】０００９
【補正方法】変更
【補正の内容】
【０００９】
本発明は、
遊技の進行に関する制御を行うものであって他の機器との間に配線経路が形成される制御手段と、外部電源に接続され少なくとも前記制御手段の動作電力を生成する電源手段と、を備えた遊技機において、
前記制御手段は、
前記制御を実行するための演算手段と、
電力が供給されている間は記憶した情報の保持を可能とし、前記演算手段が前記制御を行う上で参照される情報を記憶保持する記憶手段と、
を備え、
当該遊技機は、前記外部電源から前記電源手段への電力供給が停止されている状況において前記記憶手段に電力を供給し、前記配線経路を形成しかつ特定信号が伝送される信号用配線が接続対象から取り外された場合に前記記憶手段への電力供給が停止される電断時用電源手段を備え、
前記外部電源から前記電源手段への電力供給が停止されている状況で前記配線経路を形成する前記信号用配線が接続対象から取り外された場合に、前記電断時用電源手段からの電力供給が停止されることで、前記記憶手段が、前記外部電源から前記電源手段への電力供給が停止された場合に記憶されていた情報が保持されていない状態となるように構成されたことを特徴とする。
【手続補正６】
【補正対象書類名】明細書
【補正対象項目名】００１０
【補正方法】変更
【補正の内容】
【００１０】
本発明によれば、不正行為を抑制することができる遊技機を提供することが可能となる。
【手続補正書】
【提出日】平成30年4月2日(2018.4.2)
【手続補正１】
【補正対象書類名】特許請求の範囲
【補正対象項目名】全文
【補正方法】変更
【補正の内容】
【特許請求の範囲】
【請求項１】
所定条件の成立に基づいて、複数の識別情報を変動表示する変動表示ゲームを実行可能であり、当該変動表示ゲームに関連した演出を表示可能な表示装置を備え、
前記変動表示ゲームの結果が所定結果となった場合に、遊技者に所定の遊技価値を付与する特別遊技状態を発生可能な遊技機において、
前記変動表示ゲームの実行権利として始動記憶を記憶可能な始動記憶手段と、
前記始動記憶に対応する始動記憶表示を表示する始動記憶表示手段と、
前記変動表示ゲームについて事前判定する事前判定手段と、
前記事前判定の結果に基づいて、事前予告演出を実行する事前予告演出手段と、
前記特別遊技状態の終了後から所定期間に亘って当該特別遊技状態とは異なる特定遊技状態を発生可能な特定遊技状態発生手段と、
前記特定遊技状態中の特定期間において前記事前予告演出を実行しない事前予告演出禁止手段と、を備え、
前記事前予告演出禁止手段は、前記特定期間以外の前記特定遊技状態中は、不能動化されることを特徴とする遊技機。
【請求項２】
前記特定期間に関して、前記始動記憶表示に関連する表示態様を変化させることを特徴とする請求項１に記載の遊技機。
【請求項３】
前記特定期間において発生した前記始動記憶について、当該特定期間の終了後に前記事前予告演出が可能であることを特徴とする請求項１または２に記載の遊技機。
【手続補正２】
【補正対象書類名】明細書
【補正対象項目名】０００６
【補正方法】変更
【補正の内容】
【０００６】
しかしながら、従来の遊技機は予告演出の演出効果を十分高めたものではなかった。
【手続補正３】
【補正対象書類名】明細書
【補正対象項目名】０００７
【補正方法】変更
【補正の内容】
【０００７】
そこで、本発明は、予告演出の演出効果を高めることが可能な遊技機を提供することを目的とする。
【手続補正４】
【補正対象書類名】明細書
【補正対象項目名】０００８
【補正方法】変更
【補正の内容】
【０００８】
本発明の代表的な一形態では、所定条件の成立に基づいて、複数の識別情報を変動表示する変動表示ゲームを実行可能であり、当該変動表示ゲームに関連した演出を表示可能な表示装置を備え、前記変動表示ゲームの結果が所定結果となった場合に、遊技者に所定の遊技価値を付与する特別遊技状態を発生可能な遊技機において、前記変動表示ゲームの実行権利として始動記憶を記憶可能な始動記憶手段と、前記始動記憶に対応する始動記憶表示を表示する始動記憶表示手段と、前記変動表示ゲームについて事前判定する事前判定手段と、前記事前判定の結果に基づいて、事前予告演出を実行する事前予告演出手段と、前記特別遊技状態の終了後から所定期間に亘って当該特別遊技状態とは異なる特定遊技状態を発生可能な特定遊技状態発生手段と、前記特定遊技状態中の特定期間において前記事前予告演出を実行しない事前予告演出禁止手段と、とを備え、前記事前予告演出禁止手段は、前記特定期間以外の前記特定遊技状態中は、不能動化される。
【手続補正５】
【補正対象書類名】明細書
【補正対象項目名】０００９
【補正方法】変更
【補正の内容】
【０００９】
本発明の一形態によれば、予告演出の演出効果を高めることができる。